(57)【要約】【課題】小型で、接着剤がサイド電極側に流入しないカメラモジュールを提供すること。【解決手段】本発明のカメラモジュールにおいて、基板９に設けられた凹部１０の上部を覆う防止壁１３の存在によって、凹部１０内への接着剤１５の流入を防止でき、従って、凹部１０に設けられたサイド電極１２は、コンタクトや引出用基板との間の導通が確実になる上に、ホルダ１の下部を凹部１０に近接した状態で配置でき、基板９を極力小さくできて、小型のものが得られる。【選択図】図１
2007300488.tif 000002
【特許請求の範囲】
【請求項１】
レンズを保持した筒状のホルダと、このホルダの下部に固着され、側面に複数の凹部を有する基板と、前記凹部内に設けられたサイド電極を有した状態で、前記基板に形成された引出導体と、前記ホルダ内に位置した状態で前記基板に取り付けられ、前記引出導体に接続された撮像素子とを備え、前記ホルダの筒状外周部の下部は、前記基板との間に設けられた接着剤によって固着されると共に、前記筒状外周部が位置する側の前記凹部の上部には、前記凹部内への前記接着剤の流入を防止するための防止壁が設けられたことを特徴とするカメラモジュール。
【請求項２】
前記防止壁は、前記引出導体から延びる延設部、又はレジスト膜によって形成されたことを特徴とする請求項１記載のカメラモジュール。
【請求項３】
前記基板は、複数の薄板が積層された積層基板によって構成され、前記防止壁が前記積層基板の上部に位置する前記薄板によって形成されたことを特徴とする請求項１記載のカメラモジュール。
【請求項４】
前記ホルダは、前記撮像素子上に位置する突部を有し、この突部は、接着剤によって前記撮像素子に固着されたことを特徴とする請求項１から３の何れか１項に記載のカメラモジュール。
【発明の詳細な説明】
【技術分野】
【０００１】
本発明は、携帯電話機等に使用して好適なカメラモジュールに関するものである。
【背景技術】
【０００２】
従来のカメラモジュールに係る図面を説明すると、図４は従来のカメラモジュールに係る要部分解斜視図であり、次に、従来のカメラモジュールの構成を図４に基づいて説明すると、全体が筒状をなしたホルダ５１は、四角状の箱状部５２と、この箱状部５２の中央部から上方に延びる円筒部５３を有する。
【０００３】
この円筒部５３には、内部に配置されたレンズ５４が絞り部５５によって取り付けられると共に、箱状部５２内には、赤外線除去フィルタ５６が取り付けられている。
【０００４】
四角形状の絶縁板からなる基板５７は、側面に形成された複数の凹部５８を有し、この基板５７の上面には、導電パターン５９が設けられると共に、この導電パターン５９は、凹部５８内に設けられたサイド電極５９ａを有する。
【０００５】
また、撮像素子６０は、基板５７上に取り付けられ、この撮像素子６０は、ワイヤ等によって導電パターン５９に接続されており、そして、基板５７は、撮像素子６０を箱状部５２内に位置した状態で箱状部５２の下部に配置され、接着剤（図示せず）によって、基板５７と箱状部５２が固着されて、従来のカメラモジュールが形成されている（例えば、特許文献１参照）。
【０００６】
このような構成を有する従来のカメラモジュールは、サイド電極５９ａがソケットのコンタクトに接続されたり、或いは、引出用基板に接続されて、外部回路と結線されるようになっている。
【特許文献１】特開２００４−８８１８１号公報
【発明の開示】
【発明が解決しようとする課題】
【０００７】
従来のカメラモジュールにあっては、サイド電極５９ａを形成した凹部５８の上部が開放状態となっているため、ホルダ５１の箱状部５２と基板５７を接着する時、接着剤が箱状部５２と基板５７間から押し出されて凹部５８内に流入て、サイド電極５９ａは、コンタクトや引出用基板との間の導通が不確実になり、また、接着剤の流入を防止するために基板５７を大きくすると、大型になるという問題がある。
【０００８】
本発明は、このような従来技術の実情に鑑みてなされたもので、その目的は、小型で、接着剤がサイド電極側に流入しないカメラモジュールを提供することにある。
【課題を解決するための手段】
【０００９】
上記の目的を達成するために、本発明は、レンズを保持した筒状のホルダと、このホルダの下部に固着され、側面に複数の凹部を有する基板と、凹部内に設けられたサイド電極を有した状態で、基板に形成された引出導体と、ホルダ内に位置した状態で基板に取り付けられ、引出導体に接続された撮像素子とを備え、ホルダの筒状外周部の下部は、基板との間に設けられた接着剤によって固着されると共に、筒状外周部が位置する側の凹部の上部には、凹部内への接着剤の流入を防止するための防止壁が設けられたことを特徴としている。
【００１０】
このように構成した本発明は、防止壁の存在によって、凹部内への接着剤の流入を防止でき、従って、サイド電極は、コンタクトや引出用基板との間の導通が確実になる上に、ホルダの下部を凹部に近接した状態で配置でき、基板を極力小さくできて、小型のものが得られる。
【００１１】
また、本発明は、上記発明において、防止壁は、引出導体から延びる延設部、又はレジスト膜によって形成されたことを特徴としている。
【００１２】
このように構成した本発明は、防止壁の構成が簡単で、且つ、薄く形成できて、安価で、基板の薄型に支障のないものが得られる。
【００１３】
また、本発明は、上記発明において、基板は、複数の薄板が積層された積層基板によって構成され、防止壁が積層基板の上部に位置する薄板によって形成されたことを特徴としている。
【００１４】
このように構成した本発明は、防止壁の構成が簡単で、且つ、薄く形成できて、安価で、基板の薄型に支障のないものが得られる。
【００１５】
また、本発明は、上記発明において、ホルダは、撮像素子上に位置する突部を有し、この突部は、接着剤によって撮像素子に固着されたことを特徴としている。
【００１６】
このように構成した本発明は、ホルダが基板と撮像素子に接着できて、ホルダの取付の確実なものが得られる。
【発明の効果】
【００１７】
本発明は、防止壁の存在によって、凹部内への接着剤の流入を防止でき、従って、サイド電極は、コンタクトや引出用基板との間の導通が確実になる上に、ホルダの下部を凹部に近接した状態で配置でき、基板を極力小さくできて、小型のものが得られる。
【発明を実施するための最良の形態】
【００１８】
発明の実施の形態について図面を参照して説明すると、図１は本発明のカメラモジュールの第１実施例に係る平面図、図２は本発明のカメラモジュールの第１実施例に係る要部断面図、図３は本発明のカメラモジュールの第２実施例に係る要部断面図である。
【００１９】
次に、本発明のカメラモジュールの第１実施例に係る構成を図１、図２に基づいて説明すると、筒状のホルダ１は、熱可塑性の絶縁樹脂からなり、中心部に設けられた貫通孔２と，外周部に位置する筒状外周部３と、この筒状外周部３内に設けられ、天面部４から下方に突出する複数個、或いは環状の突部５を有する。
【００２０】
レンズ６は、ホルダ１内の前方に取り付けられると共に、四角形のガラス板からなる赤外線除去フィルタ（ＩＲカットフィルタ）７は、ホルダ１内の段部８の位置で取り付けられている。
【００２１】
絶縁材からなる基板９は、側面に間隔をおいて設けられた複数の凹部１０を有し、この基板９の表面には、銅材等の導電パターンからなる引出導体１１と、この引出導体１１に接続され、凹部１０の内壁に設けられたサイド電極１２を有する。
【００２２】
更に、この基板９の上面には、凹部１０の上部を塞ぐように配置された防止壁１３が設けられ、この実施例では、防止壁１３は、引出導体１１から延びる延設部１１ａによって形成されたものとなっており、また、この防止壁１３は、レジスト膜によって形成ても良い。
【００２３】
撮像素子１４は、引出導体１１に接続された状態で、接着剤等によって基板９の中央部に固着され、この撮像素子１４を固着した基板９は、撮像素子１４をホルダ１内に配置した状態で、ホルダ１の下部を塞ぐように配置され、筒状外周部３との間に設けられた接着剤１５によって、ホルダ１に取り付けられると共に、撮像素子１４とホルダ１間も、撮像素子１４と突部５との間に設けられた接着剤１５によって固着されて、本発明のカメラモジュールが形成されている。
【００２４】
そして、このような本発明のカメラモジュールは、特に、筒状外周部３と基板９間の接着工程において、接着剤１５が筒状外周部３と基板９間の隙間から流出するが、この流出した接着剤１５は、防止壁１３の存在によって凹部１０内への流入が防止されるようになっている。
【００２５】
また、本発明のカメラモジュールは、サイド電極１２がソケットのコンタクトに接続されたり、或いは、引出用基板に半田接続されて、外部回路と結線されるようになっているが、この時、凹部１０内に接着剤１５の存在しない状態で接続が可能となって、コンタクトや引出用基板との間の導通が確実にできる。
【００２６】
また、図３は本発明のカメラモジュールの第２実施例を示し、この第２実施例を説明すると、基板９は、複数の絶縁性の薄板９ａが積層された積層基板によって構成され、防止壁１３が凹部１０の上部を覆うように配置された上部（この実施例では最上部）に位置する薄板９ａによって形成されると共に、引出導体１１は、撮像素子１４の下面で接続された状態で、基板９を貫通した導体と基板９の下面に設けられた導体によって形成されている。
【００２７】
その他の構成は、上記実施例と同様の構成を有し、同一部品に同一番号を付し、ここではその説明を省略する。
【図面の簡単な説明】
【００２８】
【図１】本発明のカメラモジュールの第１実施例に係る平面図である。
【図２】本発明のカメラモジュールの第１実施例に係る要部断面図である。
【図３】本発明のカメラモジュールの第２実施例に係る要部断面図である。
【図４】従来のカメラモジュールに係る要部分解斜視図である。
【符号の説明】
【００２９】
１  ホルダ
２  貫通孔
３  筒状外周部
４  天面部
５  突部
６  レンズ
７  赤外線除去フィルタ
８  段部
９  基板
９ａ  薄板
１０  凹部
１１  引出導体
１１ａ  延設部
１２  サイド電極
１３  防止壁
１４  撮像素子
１５  接着剤
【図１】
2007300488.tif 000003
【図２】
2007300488.tif 000004
【図３】
2007300488.tif 000005
【図４】
2007300488.tif 000006